(57)【要約】      （修正有）【課題】指を怪我することなく簡単に着脱でき、更に、使用時に外れてしまうことのない飛散防止ケースを備えた爪切りを提供する。【解決手段】ハンドル部を操作することによって固定板の他端側に対して可動板の他端側が接近・離間して爪を切り落とす爪切りであって、固定板の板幅と略同幅に構成されたケース底板１２１と、ケース底板１２１と連続し固定板と可動板の隙間を埋めるように立ち上がるケース側板１２２、１２３を有し、少なくともケース固定板１２１の一部が強磁性体で構成された飛散防止ケース１２０を備え、固定板に備わる磁石１１０の磁力によって飛散防止ケース１２０が着脱自在とされると共に、ケース底板１２１には、固定板の底面側に突出した支持ピン頭部１０６が嵌合できるサイズの孔１２６が設けられ、当該孔１２６に支持ピン頭部１０６が嵌合することによって固定板に対して飛散防止ケース１２０が位置決め固定される。【選択図】図２
2017099489.tif 000002
【特許請求の範囲】
【請求項１】
一端側が互いに連結固定され、他端側にそれぞれ刃を備えた固定板と可動板を有し、且つ、前記固定板とハンドル部が前記可動板を挟むように支持ピンによって連結された構造を備え、前記ハンドル部を操作することによって前記固定板の他端側に対して前記可動板の他端側が接近・離間して爪を切り落とす爪切りであって、
前記固定板の板幅と略同幅に構成されたケース底板と、当該ケース底板と連続し前記固定板と前記可動板の隙間を埋めるように立ち上がるケース側板を有し、少なくとも前記ケース固定板の一部が強磁性体で構成された飛散防止ケースを備え、
前記固定板に備わる磁石の磁力によって前記飛散防止ケースが着脱自在とされると共に、
前記ケース底板には、前記固定板底面側に突出した前記支持ピンの頭部が嵌合できるサイズの孔が設けられ、当該孔に前記支持ピンの頭部が嵌合することによって前記固定板に対して前記飛散防止ケースが位置決め固定される
ことを特徴とする爪切り。
【請求項２】
請求項１において、
前記ケース底板の板厚は、前記固定板の底面側に突出する前記支持ピン頭部の突出量と略同じ厚みとされている
ことを特徴とする爪切り。
【発明の詳細な説明】
【技術分野】
【０００１】
本発明は、爪切りの技術分野に関し、特に詳しくは、爪切りにおける切爪片の飛散防止技術にする。
【背景技術】
【０００２】
従来から、爪切りを行った際に発生する切爪片の飛散を防止する目的で、様々な工夫がなされている。
【０００３】
例えば、特許文献１においては、切爪片の飛散防止ケースを備えた爪切りが開示されている。ここでの飛散防止ケースは、爪切り本体のテール部分（固定板及び可動板における刃が備わっていない側）に後方から差し込むようにして取り付けられている。
【０００４】
また、特許文献２においても、切爪片の飛散防止ケースを備えた爪切りが開示されている。ここでの飛散防止ケースも、爪切り本体に後方から差し込むようにして取り付けられ、更に、固定板底面に設けられた凹部に、飛散防止ケース側の突起が嵌合して固定されている。
【０００５】
また、特許文献３においても、切爪片の飛散防止ケースを備えた爪切りが開示されている。ここでの飛散防止ケースも、爪切り本体に後方から差し込むようにして取り付けられ、更に、可動板に設けられた孔に、飛散防止ケース側の突起が嵌合して固定されている。
【０００６】
また、特許文献４においては、固定板と可動板の間に、弾性材料で作られた袋状部材を装着することによって、切爪片の飛散を防止せんとする技術である。
【先行技術文献】
【特許文献】
【０００７】
【特許文献１】特開２００３−８８４１７号公報
【特許文献２】実開平４−３６９０８号公報
【特許文献３】実開平１−５９５０９号公報
【特許文献４】特開２００２−３４５５４６号公報
【発明の概要】
【発明が解決しようとする課題】
【０００８】
しかしながら、特許文献１〜３に記載のケースを取り外そうとした場合、いずれも飛散防止ケースを爪切り本体の後方側にスライドさせる動作が必要になる。その際、爪切り本体側を把持した指を滑らせて刃の端部で怪我をする場合があった。特に、ケースが固く固着している場合（飛散防止のケース脱落防止のために、比較的強固に固定されている製品も多い。）には、おのずとケースを外そうとする力が強くなり、指先等に深い怪我を負う可能性もあった。飛散防止ケースを取り外さずに、爪切りを下に向けて、刃と刃の間の隙間から切爪片を取り出せば足りる場合もあるが、可動板と固定板が結合している後方側の狭い隙間に切爪片が挟まって取れなくなることも想定され、それを長期間放置するのは衛生的にも、気分的にも望ましい物ではない。
【０００９】
また、特許文献４に記載の技術は、上記のような問題は想定し難いが、袋状部材の着脱に少なからず手間がかかると共に、使用時や保管時にこの袋状部材が外れてしまう（支持ピンを軸に回動するように袋状部材が飛び出る）ことも懸念される。
【００１０】
そこで本発明は、こういった問題点を解決するべくなされたものであって、指を怪我することなく簡単に着脱でき、更に、使用時に外れてしまうことのない飛散防止ケースを備えた爪切りを提供する事をその課題としている。
【課題を解決するための手段】
【００１１】
上記課題を解決するべく、本願発明は、一端側が互いに連結固定され、他端側にそれぞれ刃を備えた固定板と可動板を有し、且つ、前記固定板とハンドル部が前記可動板を挟むように支持ピンによって連結された構造を備え、前記ハンドル部を操作することによって前記固定板の他端側に対して前記可動板の他端側が接近・離間して爪を切り落とす爪切りであって、前記固定板の板幅と略同幅に構成されたケース底板と、当該ケース底板と連続し前記固定板と前記可動板の隙間を埋めるように立ち上がるケース側板を有し、少なくとも前記ケース固定板の一部が強磁性体で構成された飛散防止ケースを備え、前記固定板に備わる磁石の磁力によって前記飛散防止ケースが着脱自在とされると共に、前記ケース底板には、前記固定板底面側に突出した前記支持ピンの頭部が嵌合できるサイズの孔が設けられ、当該孔に前記支持ピンの頭部が嵌合することによって前記固定板に対して前記飛散防止ケースが位置決め固定されることを特徴とする。
【００１２】
このように、本発明にかかる爪切りにおいては、飛散防止ケースが磁石によって固定板底面側に着脱自在に備わっているので、飛散防止ケース着脱の際に爪切り本体の長手方向（前後方向）にスライドさせる必要がなく、当該操作によって怪我をすることがない。また、着脱自体も極めて容易である。更に、ケース底面に設けられた孔に固定板底面側に突出している支持ピン頭部が嵌合するので、飛散防止ケースの位置決めも確実且つ簡単である。更にケース底板とそれに連続する側板の構成（断面視すると上を向いた「コ」字型）により、使用時に飛散防止ケースが横ずれするような事もない。
【００１３】
また、前記ケース底板の板厚を、前記固定板の底面側に突出する前記支持ピン頭部の突出量と略同じ厚みとするのが望ましい。
【００１４】
このように構成すれば、飛散防止ケースを取り付ける事によって、爪切りをテーブル等水平面に載置した際の安定性を向上させることができる（飛散防止ケースを取り付けなければ、固定板底面側に突出した支持ピン頭部によって、安定性を欠く。）。
【発明の効果】
【００１５】
本発明を適用することで、指を怪我することなく簡単に着脱でき、更に、使用時に外れてしまうことのない飛散防止ケースを備えた爪切りを提供することができる。
【図面の簡単な説明】
【００１６】
【図１】本発明に係る爪切りの側面図であって、本体とケースが分離した状態を示した図である。
【図２】本発明に係る爪切りの底面側からの斜視図であって、本体とケースが分離した状態を示した図である。
【図３】本発明に係る爪切りの底面側からの斜視図であって、本体とケースが結合した状態を示した図である。
【発明を実施するための形態】
【００１７】
以下、添付図面を参照しつつ、本発明の実施形態の一例である爪切り１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１８】
〈爪切りの構成〉
本発明の実施形態の一例として示した爪切り１００は、本体１０２と当該本体１０２に着脱自在に設計された飛散防止ケース１２０とを有してなる。
【００１９】
本体部１０２は、一端側が互いに連結固定された固定板１０３と可動板１０４を備える。これら固定板１０３と可動板１０４とは、側面視すると、略横向きに倒された「Ｖ」字状に配置構成されている。固定板１０３の他端側には爪を切るための刃１０３ａが一体的に形成されており、同様に、可動板１０４の他端側には爪を切るための刃１０４ａが一体的に形成されている。また、固定板１０３には磁石１１０が埋込配置されている。
【００２０】
固定板１０３の上には可動板１０４が位置しており、更にその可動板１０４の上にハンドル部１０７が配置される（即ち、固定板１０３とハンドル部１０７で可動板１０４を挟み込むような構成）。また、このハンドル部１０７の先端は、支持ピン１０５を介して固定板１０３と連結されており、当該ハンドル部１０７を操作する事によって、ハンドル部１０７が可動板１０４を固定板１０３側に押しつける。結果として、固定板１０３の刃１０３ａと可動板１０４の刃１０４ａが当接して、爪を切り落とす事が可能な構成となっている。なお、符号１０８は、ハンドル部１０７に取り付けらた装飾のためのカバーである。
【００２１】
飛散防止ケース１２０は、１枚の鉄板（強磁性体）を「コ」字型に折り曲げた極めてシンプルな構成である。ケース底板１２１は、固定板１０３の板幅と略同幅に構成されている。また、当該ケース底板１２１と連続するケース側板１２２、１２３を備える。このケース側板１２２，１２３は、本体１０２に装着した際に、固定板１０３と可動板１０４の隙間を埋めるような形状とされ、具体的には、前方側（図２において左側）が高く、後方側（図２において右側）が暫時低くなるような形状となっている。
【００２２】
また、ケース底板１２１には、丸い貫通孔（支持ピン頭部嵌入孔１２６）が形成されている。この貫通孔（支持ピン頭部嵌入孔１２６）は、丁度本体１０２側の固定板１０３の底面に突出する支持ピン頭部１０６が嵌合できるサイズとされている。
【００２３】
なお、ケース側板１２２、１２３のそれぞれの前方上端側に設けられている段差は、当該爪切り１００を使用して爪を切る際に爪が接触しないようにするための逃げ部１２４、１２５である。
【００２４】
〈爪切りの作用・機能〉
本発明にかかる爪切り１００の爪を切る操作については、一般的な爪切りの操作と何ら変わるところがないので、説明は省略する。
【００２５】
爪を切ると、切爪片（図示していない）が固定板１０３と可動板１０４の間のスペースに溜まることとなる。溜まった爪を取り出す場合は、飛散防止ケース１２０を把持し、磁石１１０の磁力に打ち勝つ程度の力を加えれば、簡単に飛散防止ケース１２０を取り外す事ができる。その上で、溜まった切爪片をゴミ箱等に捨て、再度飛散防止ケース１２０を元の位置に戻せばよい。この時、本発明にかかる爪切り１００においては、磁石１１０の磁力で、飛散防止ケース１２０が吸着されると共に、飛散防止ケース１２０のケース底板１２１に設けられた貫通孔（支持ピン頭部嵌入孔１２６）に、支持ピン頭部１０６が嵌まり込む事によって、極めて簡単に位置決め固定されることとなる。
【００２６】
このように、本発明にかかる爪切り１００においては、飛散防止ケース１２０が磁石１１０によって固定板１０３の底面側に着脱自在に備わっているので、飛散防止ケース１２０を着脱する際に、爪切り本体１０２の長手方向（前後方向）に飛散防止ケース１２０スライドさせる必要がない。また、着脱自体も極めて容易である。更に、ケース底面１２１に設けられた孔１２６に固定板１０３の底面側に突出している支持ピン頭部１０６が嵌合するので、飛散防止ケース１２０の位置決めも確実且つ簡単である。更にケース底板１２１とそれに連続する側板１２２、１２３の構成（断面視すると上を向いた「コ」字型）により、使用時に飛散防止ケース１２０が横ずれするような事もない。
【００２７】
なお、ケース底板１２１の板厚を、固定板１０３の底面側に突出する支持ピン頭部１０６の突出量と略同じ厚みとすれば、飛散防止ケース１２０を取り付けることによって、当該爪切り１００をテーブル等水平面に載置した際の安定性を向上させることができる（飛散防止ケース１２０を取り付けなければ、固定板１０３の底面側に突出した支持ピン頭部１０６によって、安定性を欠く。）。
【００２８】
なお、上記では、飛散防止ケース１２０全体が、強磁性体でもある鉄板によって構成されていたが、少なくとも磁石１１０に対応する部分が強磁性体で構成されていれば足りる。なお、強磁性体とは、具体的には爪切りを使用する常温度域で強い磁性を示す材料であって、例えば、鉄、コバルト、ニッケル、ガドリニウムなどが該当する。
【符号の説明】
【００２９】
１００・・・爪切り
１０２・・・本体
１０３・・・固定板
１０３ａ・・・固定板刃
１０４・・・可動板
１０４ａ・・・可動板刃
１０５・・・支持ピン
１０６・・・支持ピン頭部
１０７・・・ハンドル部
１０８・・・ハンドル部装飾カバー
１０９・・・ハンドル部固定ピン
１１０・・・磁石
１２０・・・飛散防止ケース
１２１・・・ケース底板
１２２、１２３・・・ケース側板
１２４、１２５・・・逃げ部
１２６・・・支持ピン頭部嵌入孔
【図１】
2017099489.tif 000003
【図２】
2017099489.tif 000004
【図３】
2017099489.tif 000005